(57)【要約】【課題】室温センサで検出された室内温度とメモリに記憶された設定温度とを比較し、圧縮機の運転を制御しているため、予めメモリに設定温度が暖房時は高めに、冷房時には低めに設定されれば、省エネ運転にならなかった。【解決手段】遠隔制御装置１内に設けられた温度設定手段２とスケジュール設定手段３を使用し、リモコン８の設定温度の上下限値を季節に応じて設定できるので、省エネ運転をすることができ、ビル全体の消費電力を無くすことができる。【選択図】図１
2010236764.tif 000002
【特許請求の範囲】
【請求項１】
複数の室内機と室外機を遠隔で制御する遠隔制御装置と、前記遠隔制御装置から空気調和機のリモコンの温度設定範囲を設定する温度設定手段と、前記温度設定手段でリモコンの温度範囲を設定後、温度範囲を季節毎にスケジュール管理できるスケジュール設定手段と、前記スケジュール設定手段の入力があったときに、スケジュール設定の時期と、温度設定範囲の上下限とを記憶し、複数の室内機と室外機を制御し、通信信号を送受信する制御手段と、前記遠隔制御装置と室内機と室外機とを接続する通信線とを備え、リモコンから室内機を介してスケジュール管理された、設定温度の上限値以上のデータか、下限値以下のデータを受信すると、スケジュール設定手段で設定された上限温度値または、下限温度値を室内機に送信し、季節毎に設定された設定温度の上限温度値以上または、下限温度値以下にならないことを特徴とする空気調和機の遠隔制御装置。
【請求項２】
空気調和機の遠隔制御装置に、スケジュール設定をした時にスケジュールの状態を表示する表示手段を備えたことを特徴とする請求項１に記載の空気調和機の遠隔制御装置。
【発明の詳細な説明】
【技術分野】
【０００１】
本発明は、空気調和機の温度設定範囲を設定する遠隔制御装置に関する。
【背景技術】
【０００２】
従来、空気調和機の設定温度を切換えて運転する機能を有する空気調和機には、本体操作部またはリモコン等の設定入力手段により、室内の設定温度、冷房運転または暖房運転とその運転モード、室内側送風機の風量モード、タイマモード等の設定入力条件がメモリに記憶され、室温センサにより検出された室内温度とメモリに記憶された設定温度とを比較手段により比較し、運転を制御していた（例えば、特許文献１参照）。
【０００３】
図４は、特許文献１に記載された従来の設置状態を示すものである。図４に示すように、制御部マイコン１０１、設定入力手段１０２、室温センサ１０３、セーブ運転スイッチ１０４、圧縮機１０５、メモリ１０６、比較手段１０７、運転条件設定手段１０８とから構成されている。
【特許文献１】特開平６−２９４５３５号公報
【発明の開示】
【発明が解決しようとする課題】
【０００４】
しかしながら、前記従来の構成では、セーブ運転スイッチをセットすることにより室温センサで検出された室内温度とメモリに記憶された設定温度とを比較し、圧縮機の運転を制御しているため、予めメモリに設定温度が暖房時は高めに、冷房時には低めに設定されると、省エネ運転にならないという課題を有していた。
【０００５】
本発明は、前記従来の課題を解決するもので、複数の室内機と室外機のシステムで遠隔から制御する場合、遠隔から空気調和機を管理するビル管理者が、季節に応じて暖房設定時には設定温度を高めに設定できないようにし、冷房設定時には設定温度を低めに設定できないように省エネ運転をする、空気調和機の遠隔制御装置を提供することを目的とする。
【課題を解決するための手段】
【０００６】
前記従来の課題を解決するために、本発明の空気調和機の遠隔制御装置は、遠隔制御装置内に設けられた温度設定手段と、スケジュール設定手段を使用し、リモコンの温度設定範囲を季節に応じて設定することができる。
【０００７】
これによって、遠隔制御を行うビル管理者が暖房の省エネ運転をすることができ、ビル全体の消費電力を無くすことができる。
【発明の効果】
【０００８】
本発明の空気調和機の遠隔制御装置は、複数の室内機と室外機のシステムで遠隔から制御する場合、遠隔から空気調和機を管理するビル管理者が遠隔制御装置から空調をスケジュール管理し、季節に応じてリモコンの温度設定範囲の上限値、下限値を設定できるので、省エネ運転をすることができ、ビル全体の消費電力を無くすことができる。また、機器の電源を遮断することができるので、無駄な待機電力を無くすことができる。
【発明を実施するための最良の形態】
【０００９】
第１の発明は、複数の室内機と室外機を遠隔で制御する遠隔制御装置と、遠隔制御装置から空気調和機のリモコンの温度設定範囲を設定する温度設定手段と、前記温度設定手段
でリモコンの温度範囲を設定後、温度範囲を季節毎にスケジュール管理できるスケジュール設定手段と、前記スケジュール設定手段の入力があったときに、スケジュール設定の時期と、温度設定範囲の上下限とを記憶し、複数の室内機と室外機を制御し、通信信号を送受信する制御手段と、前記遠隔制御装置と室内機と室外機とを接続する通信線とから構成される空気調和機の遠隔制御装置とすることにより、遠隔から空気調和機を管理するビル管理者が遠隔制御装置から空調をスケジュール管理し、季節に応じてリモコンの温度設定範囲の上限値、下限値を設定できるので、ビル全体の省エネ運転をすることを特徴とする空気調和機の遠隔制御装置。
【００１０】
第２の発明は、特に第１の発明の遠隔制御装置に、スケジュール管理中であることを知らせる表示手段を備えたことにより、管理者がスケジュール設定された状態を把握することができる。
【００１１】
（実施の形態１）
図１は、本発明の実施の形態１における空気調和機の構成ブロック図である。同図の空気調和機の遠隔制御装置のシステムにおいて、遠隔制御装置から空気調和機のリモコンの温度設定範囲を設定する温度設定手段と、前記温度設定手段でリモコンの温度範囲を設定後、温度範囲を季節毎にスケジュール管理できるスケジュール設定手段と、前記スケジュール設定手段の入力があったときに、スケジュール設定の時期と、温度設定範囲の上下限とを記憶し、複数の室内機と室外機を制御し、通信信号を送受信する制御手段と、前記遠隔制御装置と室内機と室外機とを接続する通信線から構成されている。
【００１２】
以上のように構成された空気調和機の遠隔制御装置ついて、以下その動作、作用を説明する。
【００１３】
まず、遠隔制御装置１内に搭載された温度設定手段２により設定温度を設定し、スケジュール設定手段３を入力し、制御部４に記憶されると、リモコン８から室内機７ａ、室内機７ｂの制御部４に通信線５を介して、設定温度データが、遠隔制御装置１内に搭載された制御部４に送信され、制御部４がスケジュール設定した温度範囲の上下限を超えたデータを受信すると、設定された温度範囲内の温度データをリモコンに送信する。
【００１４】
以上のように、遠隔制御装置１内に搭載されたスケジュール設定手段３を入力し、季節に応じて温度範囲の上下限を設定することで、ビル管理者が遠隔制御装置から季節に応じた空調システムの省エネ運転をすることができるものである。
【００１５】
（実施の形態２）
図２は、本発明の第２の実施の形態の空気調和機の構成ブロック図である。本発明の第１の実施の形態で示した空気調和機の遠隔制御装置１に表示手段９を構成した空気調和機の遠隔制御装置である。
【００１６】
以上のように構成された空気調和機の遠隔制御装置について、以下その動作、作用を説明する。
【００１７】
まず、遠隔制御装置１内に搭載された温度設定手段２で温度範囲を設定し、スケジュール設定手段３を入力することで、スケジュール管理状態を表示手段９により表示することができる。
【００１８】
以上のように、遠隔制御装置１内に搭載された表示手段９を備えたことにより、遠隔から空気調和機を管理するビル管理者がスケジュール管理した状態を把握することができるものである。
【産業上の利用可能性】
【００１９】
以上のように、本発明は、複数の室内機と室外機のシステムで遠隔から制御する場合、遠隔から空気調和機を管理するビル管理者が遠隔制御装置から季節に応じて温度範囲をスケジュール管理することができるので、遠隔制御機器を用いたマルチ型エアコンのシステムに適する。
【図面の簡単な説明】
【００２０】
【図１】本発明の実施の形態１における空気調和機の構成ブロック図
【図２】本発明の実施の形態２における空気調和機の構成ブロック図
【図３】従来の空気調和機のブロック図
【符号の説明】
【００２１】
１  遠隔制御装置
２  温度設定手段
３  スケジュール設定手段
４  制御部
５  通信線
６  室外機
７ａ  室内機
７ｂ  室内機
８  リモコン
９  表示手段
１０１  制御部マイコン
１０２  設定入力手段
１０３  室温センサ
１０４  セーブ運転スイッチ
１０５  圧縮機
１０６  メモリ
１０７  比較手段
１０８  運転条件設定手段
【図１】
2010236764.tif 000003
【図２】
2010236764.tif 000004
【図３】
2010236764.tif 000005